(57)【要約】【課題】従来のフイルタ清掃装置においては、ごみをブラシで掻き取りながら吸引するために、ごみが飛散して空気調和機内部が汚れたり、ブラシにごみが付着してしまい十分に吸い取れないという課題があった。【解決手段】吸引ノズル１０２の、フィルター１０１を挟んで反対側には、背板１０３が吸引ノズル１０２に相対して配置される。ガイダー１０５はローラーを軸固定した構造で回転可能であるとともに背板１０３とフィルター１０１の距離を所定の値に保っている。吸引ノズル１０２には、電磁コイル１０７が装備され、背板１０３には鉄板１０６が装備されている。これにより、ブラシなしでもごみを容易に除去することができ、吸引力を大幅に向上させることができる。また、電磁コイル１０７を動作させ鉄板１０６を引き寄せることにより、背板１０３の支持部材は必要なく、容易に構成できる。【選択図】図１
2005137995.tif 000002
【特許請求の範囲】
【請求項１】
フィルターと、前記フィルターの前面に付着したごみを吸引する吸引ノズルと、前記フィルターを挟んで前記吸引ノズルと相対する位置に背板とを備えたことを特徴とするフィルター清掃装置。
【請求項２】
前記背板にスリットを設けたことを特徴とする請求項１に記載のフィルター清掃装置。
【請求項３】
前記背板が支持部を有し、前記背板と前記フィルターの距離が適正に保たれることを特徴とする請求項１または請求項２に記載のフィルター清掃装置。
【請求項４】
前記支持部が回転可能に構成されたことを特徴とする請求項３に記載のフィルター清掃装置。
【請求項５】
前記吸引ノズルと前記背板とが磁力により引き合うように構成しことを特徴とする請求項１または請求項２に記載のフィルター清掃装置。
【請求項６】
前記吸引ノズルに磁石または電磁コイルを備え、前記背板に磁石または磁性材を備えたことを特徴とする請求項５に記載のフィルター清掃装置。
【請求項７】
清掃運転中または運転前後の移動や付随動作中にのみ、前記電磁コイルに通電することを特徴とする請求項６に記載のフィルター清掃装置。
【発明の詳細な説明】
【技術分野】
【０００１】
本発明は、空気調和機のフィルターに付着したごみを除去するフィルター清掃装置に関するものである。
【背景技術】
【０００２】
従来の空気調和機のフィルター清掃装置は、本体内部に設けられたエアーフイルタ上のごみを除去するため、エアーフィルタの上流側にごみ吸引部をもうけ、これとダクト部で吸引ファンを接続してエアフィルタに堆積するごみを吸引するようになっている。ごみ吸引部にはエアーフィルタのごみを掻き落すためのブラシが設けられ、そしてこのごみ吸引部がエアーフイルタ上を自在に移動可能とすることで手間をかけずに自動で清掃できるようになっている（例えば特許文献１参照）。
【特許文献１】特開２００２−３４０３９５号公報
【発明の開示】
【発明が解決しようとする課題】
【０００３】
しかしながら、従来のフイルタ清掃装置においては、ごみをブラシで掻き取りながら吸引するために、ごみが飛散して空気調和機内部が汚れたり、ブラシにごみが大量に付着してしまい十分に吸い取れないなどの課題が生じることがあった。
【０００４】
本発明は、上記課題を解決し、ごみの飛散や付着によるトラブルをなくし、フィルターのごみを確実に除去できるフイルタ清掃装置を提供する。
【課題を解決するための手段】
【０００５】
前記従来の課題を解決するため、本発明のフイルタ清掃装置は、フィルターの前面に付着したごみを吸引する吸引ノズルと、フィルターを挟んで吸引ノズルと相対する位置に背板を備えるものである。これにより、ごみの吸引力を増し、吸引だけでフィルターのごみを除去することができる。
【発明の効果】
【０００６】
本発明のフィルター清掃装置によれば、ごみ吸引力を大幅に向上させることができ、かつブラシなどを使用する必要がないので、ごみ飛びやブラシへの付着によるトラブルを防止するという効果を奏する。また、容易に構成できるという効果も奏する。
【発明を実施するための最良の形態】
【０００７】
以下に、本発明の実施の形態について図面を参照しながら説明する。
【０００８】
図１に示すように、フィルター１０１を矢印１０９の方向に空気が流れており、所定の運転状況において、フィルター１０１に付着したごみを吸引ノズル１０２が吸引して掃除を行う。また、吸引ノズル１０２は吸引ダクト１０８に加えて電磁コイル１０７を備えている。吸引ダクト１０８は吸引ファンやごみ回収容器などからなる吸引装置（図示せず）に接続される。
【０００９】
吸引ノズル１０２の、フィルター１０１を挟んで反対側には、背板１０３が吸引ノズル１０２に相対して配置される。背板１０３を配置することで、吸引ノズル１０２によるごみ吸引力を大幅に向上させることができる。従って、従来の技術のように、ブラシなどを使用する必要がなく、ごみ飛びやブラシへの付着によるトラブルを防止することができる。
【００１０】
さらに、背板１０３にスリット１０４を設けることで、吸引される空気がフィルター１０１を通過する際の流速を上げてやることで、ごみの吸引力をさらに向上させ、所要電力の削減を図ることができる。
【００１１】
ここで、ガイダー１０５はローラーを軸固定した構造で回転可能であるとともに背板１０３とフィルター１０１の距離を所定の値に保っている。ガイダー１０５がないと、吸引力のために背板１０３は吸引ノズル１０２側に引かれフィルター１０１に張りついた状態となって、フィルター１０１の清掃個所を移動させる際、背板１０３あるいはフィルター１０１を動かすことが困難になる。つまり、ガイダー１０５が背板１０３とフィルター１０１の距離を所定の値に保つことで、背板１０３あるいはフィルター１０１の移動が可能となる。
【００１２】
さらに、ガイダー１０５はローラーを回転可能の軸固定した構造とすることで、フィルター１０１と背板１０３の相対運動が円滑に行われ、振動によるごみの飛散や摺動による異音の発生を抑えることができる。なお、本実施形態では、ガイダー１０５はローラーを軸固定した構造としたが回転自在な構造であれば球体であってもさしつかえない。
【００１３】
また、吸引ノズル１０２には、電磁コイル１０７が装備され、背板１０３には鉄板１０６が装備されている。フィルター１０１の掃除中は電磁コイル１０７を動作させ鉄板１０６を引き寄せることにより、吸引ノズル１０２の移動に追従して背板１０３が移動したり、あるいはフィルター１０１が駆動した場合に、吸引ノズル１０２に相対する位置に背板１０３が留めたりすることができる。しかも、背板１０３の支持部材は必要なく、容易に構成することができる。
【００１４】
ここで、電磁コイル１０７と鉄板１０６を用いて構成したが、それぞれに磁石を使用しても同様の効果を得ることができる。またここでは鉄板で説明したが、鉄板に限定されるものではなく磁性材料であれば何でも良いのは言うまでもない。そして、磁石を使用する場合には、配線の必要がなく、電力も使用せずに装置を構成することができる。一方、電磁コイルと鉄板を使用する場合には磁力による引力を入り切りできるので、状況に応じて吸引ノズル１０２と背板１０３の相対する構成を解除し、例えば吸引ノズル１０２を換気などの他の用途に使用することも容易である。
【図面の簡単な説明】
【００１５】
【図１】本発明の実施形態におけるフィルター清掃装置の概略図
【符号の説明】
【００１６】
１０１  フィルター
１０２  吸引ノズル
１０３  背板
１０４  スリット
１０５  ガイダー
１０６  鉄板
１０７  電磁コイル
【図１】
2005137995.tif 000003